(57)【要約】【課題】洋風便器本体の便座取付穴等の取付穴の深さが大きく異なるものに対しても適用可能であり、かつ確実な固定力を発揮することができる締結装置を提供する。【解決手段】締結装置１は、頭部１１、円筒部１２及びねじ部１３からなる雄ねじ１０と、ねじ部１３に螺合された雌ねじ２０と、円筒部１２に挿通され、締結時に頭部１１を上方から回転させても回転しない回転不能部としてのワッシャ３０と、ワッシャ３０と相対回転不能に設けられ、軸方向に延びる筒状に形成された少なくとも一つの長さ調整用ブッシュ４０と、長さ調整用ブッシュ４０により上方への移動が規制されるとともに長さ調整用ブッシュ４０と相対回転不能に設けられ、軸方向に延びる筒状に形成され、途中に軸長の短縮により拡大する拡径部５１が形成され、かつ雌ねじ２０と相対回転不能に設けられたゴム製の固定用ブッシュ５０とを備えている。【選択図】図８
2007232156.tif 000002
【特許請求の範囲】
【請求項１】
頭部、円筒部及びねじ部からなる雄ねじと、
該ねじ部に螺合された雌ねじと、
該円筒部に挿通され、締結時に該頭部を上方から回転させても回転しない回転不能部と、
該回転不能部と相対回転不能に設けられ、軸方向に延びる筒状に形成された少なくとも一つの長さ調整用ブッシュと、
該長さ調整用ブッシュにより上方への移動が規制されるとともに該長さ調整用ブッシュと相対回転不能に設けられ、軸方向に延びる筒状に形成され、途中に軸長の短縮により拡大する拡径部が形成され、かつ該雌ねじと相対回転不能に設けられたゴム製の固定用ブッシュとを備えていることを特徴とする締結装置。
【請求項２】
前記回転不能部は、前記長さ調整用ブッシュとは別体のワッシャである請求項１記載の締結装置。
【請求項３】
前記ワッシャの下面には自己の回転を防止する回転防止手段が形成されている請求項２記載の締結装置。
【請求項４】
前記雌ねじと前記固定用ブッシュとは別体である請求項１乃至３のいずれか１項記載の締結装置。
【請求項５】
前記長さ調整用ブッシュと前記固定用ブッシュとは別体である請求項１乃至４のいずれか１項記載の締結装置。
【請求項６】
前記長さ調整用ブッシュと前記固定用ブッシュとは、一体であり、かつ分離可能に構成されている請求項１乃至４のいずれか１項記載の締結装置。
【請求項７】
前記長さ調整用ブッシュは、途中に軸長の短縮により拡大する拡径部が形成されている請求項１乃至６のいずれか１項記載の締結装置。
【請求項８】
便座取付穴をもつ洋風便器本体と、該洋風便器本体上に載置され、該便座取付穴に請求項１乃至７のいずれか１項記載の締結装置を用いて固定される便座装置とを備えていることを特徴とする洋風水洗式便器。
【発明の詳細な説明】
【技術分野】
【０００１】
本発明は締結装置及び洋風水洗式便器に関する。
【背景技術】
【０００２】
特許文献１に従来の締結装置が開示されている。この締結装置は、頭部、円筒部及びねじ部からなる雄ねじと、ねじ部に螺合された雌ねじと、円筒部に挿通される回転不能部と、軸方向に延びる筒状に形成され、途中に軸長の短縮により拡大する拡径部が形成されたゴム製の固定用ブッシュとを備えている。
【０００３】
回転不能部は、固定用ブッシュの一端側に一体成形されるフランジ状のものであり、固定用ブッシュに対して相対回転不能となっている。また、回転不能部における頭部側の面であるフランジ面には、締結時に頭部を上方から回転させても回転しないように凹凸加工が施されている。雌ねじは、固定用ブッシュの他端側に埋設されており、固定用ブッシュに対して相対回転不能となっている。
【０００４】
このような構成である従来の締結装置は、例えば、洋風便器本体と便座装置とを備える洋風水洗式便器に用いられて、便座装置を洋風便器本体の便座取付穴に固定する。
【０００５】
具体的には、便座装置の底壁を雄ねじの頭部と回転不能部のフランジ面とで挟んだ状態とした上で、雄ねじの円筒部及びねじ部と、雌ねじと、固定用ブッシュとを洋風便器本体の便座取付穴に挿入する。ここで、ねじ部や固定用ブッシュをあらかじめ適当な長さのものに選定しておくことにより、固定用ブッシュの拡径部が便座取付穴の反対側から適度に飛び出した状態とする。
【０００６】
そして、雄ねじの頭部を回転させると、ねじ部に螺合する雌ねじは、回転不能部及び固定用ブッシュにより回転が規制され、ねじ部に対して相対回転して、ねじ部の頭部側に移動する。その結果、固定用ブッシュの軸長が短縮され、拡径部が圧縮変形により拡大して便座取付穴の反対側に係合する。
【０００７】
こうして、この締結装置は、便座装置を洋風便器本体の便座取付穴に上方から固定することが可能となっている。
【０００８】
【特許文献１】実開昭６２−２１９９６号公報
【発明の開示】
【発明が解決しようとする課題】
【０００９】
しかし、上記従来の締結装置では、深さが異なる各種の便座取付穴等の取付穴に１種類のもので対応しようとすると、取付穴の深さが深過ぎる場合には、拡径部が取付穴の反対側に飛び出さない状態となり、拡径部が取付穴の中で拡径するだけで、取付穴の反対側には引っ掛からない。
【００１０】
他方、取付穴の深さが浅過ぎる場合には、拡径部が取付穴の反対側から飛び出し過ぎる状態となり、拡径部が取付穴の反対側からさらに離れた位置で拡径して、取付穴の反対側との間に隙間が生じてしまう。
【００１１】
このため、従来の締結装置では、取付穴の深さに適した長さのものを選定して使用しなければ、確実な固定力を発揮することができなかった。
【００１２】
このように確実な固定力が発揮できない締結装置を洋風水洗式便器に用いた場合、使用者の体重が不適切に便座装置に上方から付加されると、便座装置が洋風便器本体からずれたり、外れたりしてしまうという不具合が生じるおそれがあった。
【００１３】
以上のことから、従来の締結装置では、長さの異なる多数の種類のものを用意しなければならず、製品コストの低廉化が難しかった。
【００１４】
本発明は、上記従来の実情に鑑みてなされたものであって、洋風便器本体の便座取付穴等の取付穴の深さが大きく異なるものに対しても適用可能であり、かつ確実な固定力を発揮することができる締結装置を提供することを解決すべき課題としている。
【課題を解決するための手段】
【００１５】
本発明の締結装置は、頭部、円筒部及びねじ部からなる雄ねじと、
該ねじ部に螺合された雌ねじと、
該円筒部に挿通され、締結時に該頭部を上方から回転させても回転しない回転不能部と、
該回転不能部と相対回転不能に設けられ、軸方向に延びる筒状に形成された少なくとも一つの長さ調整用ブッシュと、
該長さ調整用ブッシュにより上方への移動が規制されるとともに該長さ調整用ブッシュと相対回転不能に設けられ、軸方向に延びる筒状に形成され、途中に軸長の短縮により拡大する拡径部が形成され、かつ該雌ねじと相対回転不能に設けられたゴム製の固定用ブッシュとを備えていることを特徴とする。
【００１６】
このような構成である本発明の締結装置は、例えば、洋風便器本体と便座装置とを備える洋風水洗式便器に用いられて、便座装置を洋風便器本体の便座取付穴に固定する。
【００１７】
具体的には、雄ねじの頭部が便座装置を上から押さえる状態として、回転不能部が便座装置又は洋風便器本体に当接した状態とした上で、雄ねじの円筒部及びねじ部と、雌ねじと、長さ調整用ブッシュと、固定用ブッシュとを洋風便器本体の便座取付穴に挿入する。ここで、ねじ部はあらかじめ充分に長いものとし、適当な長さの長さ調整用ブッシュを回転不能部と固定用ブッシュとの間に介在させることにより、固定用ブッシュの拡径部が便座取付穴の反対側から適度に飛び出した状態となる。この際、長さ調整用ブッシュは、例えば、複数個を直列にして適当な長さとしたり、長いものを適当な長さに切断して使用する。
【００１８】
そして、雄ねじの頭部を回転させると、ねじ部に螺合する雌ねじは、回転不能部、長さ調整用ブッシュ及び固定用ブッシュにより回転が規制され、ねじ部に対して相対回転して、ねじ部の頭部側に移動する。その結果、固定用ブッシュの軸長が短縮され、拡径部が圧縮変形により拡大して便座取付穴の反対側に係合する。
【００１９】
こうして、この締結装置は、便座装置を洋風便器本体の便座取付穴に上方から確実に固定することが可能となっている。
【００２０】
このように、本発明の締結装置は、長さの異なる多数の種類のものを用意しなくても、長さ調整用ブッシュの長さを適当に調整するだけで、拡径部が便座取付穴等の取付穴の反対側から適度に飛び出した状態とすることができる。このため、この締結装置は、拡径部が取付穴の反対側に引っ掛からないという不具合を防止できる。また、この締結装置は、拡径部が取付穴の反対側との間に隙間が生じてしまうという不具合も防止できる。
【００２１】
したがって、本発明の締結装置は、洋風便器本体の便座取付穴等の取付穴の深さが大きく異なるものに対しても適用可能であり、かつ確実な固定力を発揮することができる。
【００２２】
そして、このように確実な固定力を発揮することができる締結装置を洋風水洗式便器に用いることにより、使用者の体重が不適切に便座装置に上方から付加される場合であっても、便座装置が洋風便器本体からずれたり、外れたりしてしまうという不具合を防止することができる。
【００２３】
本発明において、回転不能部、長さ調整用ブッシュ及び固定用ブッシュは、本発明の作用効果を奏するものであれば、どのようなものでもよい。例えば、回転不能部は、長さ調整用ブッシュとは別体のワッシャやブッシュであることができる。この場合、回転不能部と長さ調整用ブッシュとの間に互いに噛み合って相対回転が不能となる凹凸等が形成される。また、回転不能部と長さ調整用ブッシュとは、一体となっていてもよい。この場合には、互いに噛み合って相対回転が不能となる凹凸等は不要である。さらに、長さ調整用ブッシュは、例えば、複数個を直列にして長くすることが可能なものであったり、長いものを適当な長さに切断して使用可能なものであってもよい。
【００２４】
本発明の締結装置において、回転不能部は、長さ調整用ブッシュとは別体のワッシャであり得る。この場合、回転不能部は単純な円盤形状や平板形状であり、長さ調整用ブッシュも単純な円筒形状とすることができるので、製造コストの低廉化が可能となる。
【００２５】
本発明の締結装置において、ワッシャの下面には自己の回転を防止する回転防止手段が形成され得る。この場合、回転不能部としてのワッシャを便座装置や洋風便器本体等の締結対象に当接することにより、回転不能部を容易に回転不能な状態とすることができる。
【００２６】
回転防止手段としては、例えば、凸凹の列や突起等、ワッシャの回転を防止できるものであればどのようなものでもかまわない。
【００２７】
本発明の締結装置において、雌ねじと固定用ブッシュとは一体であってもよく、例えば、固定用ブッシュに雌ねじがインサート成形されていてもよい。また、本発明の締結装置において、雌ねじと固定用ブッシュとを別体とすることもできる。この場合、雌ねじが分離された固定用ブッシュを長さ調整用ブッシュとしても使用することができる。そして、この締結装置は、回転不能部と、雌ねじが固定された固定用ブッシュとの間にさらに少なくとも１つ以上の雌ねじが分離された固定用ブッシュを介在させることにより、本発明の作用効果を奏することができる。そして、この場合には、雌ねじが分離された固定用ブッシュが長さ調整用ブッシュも兼ねることにより、製造コストの一層の低廉化が可能となる。
【００２８】
本発明の締結装置において、長さ調整用ブッシュと固定用ブッシュとが別体である場合、長さ調整用ブッシュは複数個を直列にして長くすることができる。
【００２９】
本発明の締結装置において、長さ調整用ブッシュと固定用ブッシュとは、一体であり、かつ分離可能に構成され得る。この場合、回転不能部と相対回転不能なように、長さ調整用ブッシュの余分な部分を分離することにより、長さ調整用ブッシュと固定用ブッシュとを適当な長さにして使用することができる。
【００３０】
本発明の締結装置において、長さ調整用ブッシュは、途中に軸長の短縮により拡大する拡径部が形成され得る。この場合、締結時に長さ調整用ブッシュも取付穴内で拡径するので、より確実な固定力を発揮することができる。
【００３１】
本発明の洋風水洗式便器は、便座取付穴をもつ洋風便器本体と、該洋風便器本体上に載置され、該便座取付穴に本発明の締結装置を用いて固定される便座装置とを備えていることを特徴とする。
【００３２】
この洋風水洗式便器は、上述のように確実な固定力を発揮する本発明の締結装置を用いることによって、使用者の体重が不適切に便座装置に上方から付加される場合であっても、便座装置が洋風便器本体からずれたり、外れたりしてしまうという不具合を防止することができる。
【発明を実施するための最良の形態】
【００３３】
以下、本発明を具体化した実施例１〜３を図面を参照しつつ説明する。
【実施例１】
【００３４】
図１に示すように、実施例１の締結装置１は、雄ねじ１０と、雌ねじ２０と、回転不能部としてのワッシャ３０と、長さ調整用ブッシュ４０と、固定用ブッシュ５０とを備えている。
【００３５】
雄ねじ１０は、頭部１１、円筒部１２及びねじ部１３からなり、雌ねじ２０は、後述する固定用ブッシュ５０の下面側に固定された状態で、ねじ部１３に螺合されている。ワッシャ３０は、図２及び図３に示すように、中央に雄ねじ１０の円筒部１２が挿通される穴３１が貫設された矩形平板状の樹脂成形品である。ワッシャ３０の下面側には、穴３１を中心に位置させて下方に突出する四角柱状のワッシャ側凸部３２が凸設されている。ワッシャ側凸部３２の４つの側面の周辺には、回転防止手段としての畝状突起部３４が下方に突出するように配設されている。
【００３６】
このような形状であるワッシャ３０は、図１に示すように、雄ねじ１０の円筒部１２に挿通されて、雄ねじ１０の頭部１１の下方に位置する。そして、畝状突起部３４が締結対象に当接することによりワッシャ３０が締結対象に対して回転不能とされ、その結果、締結時に雄ねじ１０の頭部１１を上方から回転させても、ワッシャ３０が回転しないようになっている。
【００３７】
長さ調整用ブッシュ４０は、図４〜図６に示すように、軸方向に延びる筒状に形成された樹脂成形品である。長さ調整用ブッシュ４０の上面側には、図４及び図５に示すように、下方に突出する四角柱状の長さ調整用ブッシュ側凹部４３が凹設されている。長さ調整用ブッシュ側凹部４３とワッシャ側凸部３２とは、互いに嵌まり合う形状とされており、双方が嵌まり合うことによって、長さ調整用ブッシュ４０がワッシャ３０と相対回転不能とされる。他方、長さ調整用ブッシュ４０の下面側には、図４及び図６に示すように、下方に突出する四角柱状の長さ調整用ブッシュ側凸部４２が凸設されている。長さ調整用ブッシュ側凸部４２の外形は、ワッシャ側凸部３２の外形と同一形状とされている。
【００３８】
このような形状である長さ調整用ブッシュ４０は、図１に示すように、少なくとも１つが雄ねじ１０のねじ部１３及び円筒部１２に挿通されて、ワッシャ３０の下方に位置する。そして、複数の長さ調整用ブッシュ４０が上下に並ぶように挿通される場合には、上側に位置する長さ調整用ブッシュ４０の下面側の長さ調整用ブッシュ側凸部４２と、下側に位置する長さ調整用ブッシュ４０の上面側の長さ調整用ブッシュ側凹部４３とが互いに嵌まり合うことによって、上下に並ぶ複数の長さ調整用ブッシュ４０が互いに相対回転不能とされる。
【００３９】
固定用ブッシュ５０は、図７に示すように、軸方向に延びる筒状に形成され、途中に軸長の短縮により拡大する提灯形状の拡径部５１が形成されたゴム製のものである。固定用ブッシュ５０の上面側には、図５に示す長さ調整用ブッシュ側凹部４３と同一形状であり、下方に突出する四角柱状の固定用ブッシュ側凹部５３が凹設されている。他方、固定用ブッシュ５０の下面側には、雌ねじ２０がインサート成形により固定されており、固定用ブッシュ５０が雌ねじ２０と相対回転不能とされている。
【００４０】
このような形状である固定用ブッシュ５０は、図１に示すように、雄ねじ１０のねじ部１３に挿通されて、長さ調整用ブッシュ４０の下方に位置し、長さ調整用ブッシュ４０によって、上方への移動が規制される。そして、上側に位置する長さ調整用ブッシュ４０の下面側の長さ調整用ブッシュ側凸部４２と、下側に位置する固定用ブッシュ５０の上面側の固定用ブッシュ側凹部５３とが互いに嵌まり合うことによって、固定用ブッシュ５０が長さ調整用ブッシュ４０と相対回転不能とされる。これにより、ワッシャ３０と、長さ調整用ブッシュ４０と、固定用ブッシュ５０と、雌ねじ２０とは、互いに相対回転不能とされる。
【００４１】
このような構成である実施例１の締結装置１は、例えば、図８に示すように、洋風便器本体８と便座装置９とを備える洋風水洗式便器に用いられて、便座装置９を洋風便器本体８の便座取付穴７に固定する。
【００４２】
具体的には、洋風便器本体８に載置された便座装置９の底壁９ａの上方から、雄ねじ１０の円筒部１２及びねじ部１３と、雌ねじ２０と、長さ調整用ブッシュ４０と、固定用ブッシュ５０とを洋風便器本体８の便座取付穴７に挿入する。そして、ワッシャ３０の下面を、便座装置９の底壁９ａの上面に当接させるともに、畝状突起部３４を底壁９ａに形成された凹部９ｂに嵌め合せて、ワッシャ３０を便座装置９の底壁９ａと相対回転不能とする。
【００４３】
ここで、雄ねじ１０としてねじ部１３が充分に長いものをあらかじめ用意しておき、長さ調整用ブッシュ４０の数をその場で適当に選択することにより、固定用ブッシュ５０の拡径部５１が便座取付穴７の反対側から適度に飛び出した状態とすることを容易に実施できる。
【００４４】
そして、雄ねじ１０の頭部１１を回転させると、ねじ部１３に螺合する雌ねじ２０は、ワッシャ３０、長さ調整用ブッシュ４０、及び固定用ブッシュ５０が互いに回転不能とされていることにより回転が規制され、ねじ部１３に対して相対回転して、ねじ部１３の頭部１１側に移動する。その結果、図９に示すように、固定用ブッシュ５０の軸長が短縮され、提灯形状の拡径部５１が圧縮変形により拡大して便座取付穴７の反対側に係合する。こうして、この締結装置１は、便座装置９を洋風便器本体８の便座取付穴７に上方から固定することが可能となっている。
【００４５】
また、締結装置１は、洋風便器本体８の便座取付穴７が浅い場合に、図１０に示すように、長さ調整用ブッシュ４０を省くことにより、固定用ブッシュ５０の拡径部５１が便座取付穴７の反対側から適度に飛び出した状態とすることを容易に実施できる。
【００４６】
この場合、長さ調整用ブッシュ４０の長さ調整用ブッシュ側凹部４３と固定用ブッシュ５０の固定用ブッシュ側凹部５３とが同一形状であることから、ワッシャ３０のワッシャ側凸部３２と、固定用ブッシュ５０の固定用ブッシュ側凹部５３とが互いに嵌まり合うことによって、固定用ブッシュ５０がワッシャ３０と相対回転不能とされる。これにより、ワッシャ３０と、固定用ブッシュ５０と、雌ねじ２０とは、互いに相対回転不能とされる。このため、この締結装置１は、図１１に示すように、雄ねじ１０の頭部１１の回転によって、拡径部５１が拡大して便座取付穴７の反対側に係合する。こうして、この締結装置１は、便座取付穴７が浅い場合でも、確実な固定力を発揮することができる。
【００４７】
ここで、実施例１の締結装置１は、頭部１１、円筒部１２及びねじ部１３からなる雄ねじ１０と、ねじ部１３に螺合された雌ねじ２０と、円筒部１２に挿通され、締結時に頭部１１を上方から回転させても回転しない回転不能部としてのワッシャ３０と、ワッシャ３０と相対回転不能に設けられ、軸方向に延びる筒状に形成された少なくとも一つの長さ調整用ブッシュ４０と、長さ調整用ブッシュ４０により上方への移動が規制されるとともに長さ調整用ブッシュ４０と相対回転不能に設けられ、軸方向に延びる筒状に形成され、途中に軸長の短縮により拡大する拡径部５１が形成され、かつ雌ねじ２０と相対回転不能に設けられたゴム製の固定用ブッシュ５０とを備えている。
【００４８】
このため、この締結装置１は、長さの異なる多数の種類のものを用意しなくても、長さ調整用ブッシュ４０の数を選択して、長さを適当に調整するだけで、拡径部５１が便座取付穴７の反対側から適度に飛び出した状態とすることを容易に実施できている。このため、この締結装置１は、拡径部５１が便座取付穴７の反対側に引っ掛からないという不具合を防止できている。また、この締結装置１は、拡径部５１が便座取付穴７の反対側との間に隙間が生じてしまうという不具合も防止できている。
【００４９】
したがって、実施例１の締結装置１は、洋風便器本体の便座取付穴等の取付穴の深さが大きく異なるものに対しても適用可能であり、かつ確実な固定力を発揮することができている。
【００５０】
また、この締結装置１は、長さの異なる多数の種類のものを用意しなくてもよいので、製造コストの低廉化が可能となっている。
【００５１】
そして、このように確実な固定力を発揮することができる締結装置１を洋風水洗式便器に用いることにより、使用者の体重が不適切に便座装置９に上方から付加される場合であっても、便座装置９が洋風便器本体８からずれたり、外れたりしてしまうという不具合を防止することが可能となっている。
【００５２】
また、この締結装置１において、回転不能部は、長さ調整用ブッシュ４０とは別体のワッシャ３０である。そして、ワッシャ３０は単純な平板形状であり、長さ調整用ブッシュ４０も単純な円筒形状であることから、この締結装置１は、製造コストをより低廉化することが可能となっている。
【００５３】
さらに、この締結装置１において、ワッシャ３０の下面には自己の回転を防止する回転防止手段としての畝状突起部３４が形成されている。このため、この締結装置１は、ワッシャ３０を便座装置９に当接することにより、ワッシャ３０をを容易に回転不能な状態とすることができている。
【００５４】
また、この締結装置１において、長さ調整用ブッシュ４０と固定用ブッシュ５０とが別体であることから、長さ調整用ブッシュ４０は、複数個を直列にして長くすることができており、長さ調整が容易になっている。
【実施例２】
【００５５】
図１２に示すように、実施例２の締結装置２は、固定用ブッシュ５０ａが長さ調整用ブッシュも兼ねるとともに、雌ねじ２０ａと固定用ブッシュ５０ａとが別体とされている点が実施例１の締結装置１とは異なる。その他の構成については、実施例１の締結装置１と同様であるので、説明は省く。
【００５６】
実施例１の固定用ブッシュ５０では下面側に雌ねじ２０がインサート成形されていたに対して、固定用ブッシュ５０ａでは、図１３に示すように、雌ねじ２０ａが別体とされ、下面側に新たに固定用ブッシュ側凸部５２ａが凸設されている。固定用ブッシュ側凸部５２ａは、ワッシャ側凸部３２の外形と同一形状であり、下方に突出する四角柱状とされている。その他の構成についは、実施例１の固定用ブッシュ５０と同様であるので、説明は省く。
【００５７】
このような形状である固定用ブッシュ５０ａは、図１２に示すように、少なくとも１つが雄ねじ１０のねじ部１３及び円筒部１２に挿通されて、ワッシャ３０の下方に位置する。そして、複数の固定用ブッシュ５０ａが上下に並ぶように挿通される場合には、上側に位置する固定用ブッシュ５０ａの下面側の固定用ブッシュ側凸部５２ａと、下側に位置する固定用ブッシュ５０ａの上面側の固定用ブッシュ側凹部５３ａとが互いに嵌まり合うことによって、上下に並ぶ複数の固定用ブッシュ５０ａが互いに相対回転不能とされる。
【００５８】
雌ねじ２０ａは、図１４に示すように、樹脂製の雌ねじ保持部材２５ａ内にインサート成形されており、雌ねじ保持部材２５ａの上面側には、固定用ブッシュ側凹部５３と同一形状であり、下方に突出する四角柱状の雌ねじ側凹部２３ａが凹設されている。
【００５９】
このような形状である雌ねじ２０ａは、図１２に示すように、雄ねじ１０のねじ部１３に挿通されて、固定用ブッシュ５０ａの下方に位置する。そして、固定用ブッシュ５０ａの下面側の固定用ブッシュ側凸部５２ａと、雌ねじ保持部材２５ａの上面側の雌ねじ側凹部２３ａとが互いに嵌まり合うことによって、雌ねじ２０ａが固定用ブッシュ５０ａと相対回転不能とされる。
【００６０】
このような構成である実施例２の締結装置２も、図１２に示すように、洋風便器本体８と便座装置９とを備える洋風水洗式便器に用いられて、便座装置９を洋風便器本体８の便座取付穴７に固定する。
【００６１】
具体的には、洋風便器本体８に載置された便座装置９の底壁９ａの上方から、雄ねじ１０の円筒部１２及びねじ部１３と、雌ねじ２０と、複数の固定用ブッシュ５０ａとを洋風便器本体８の便座取付穴７に挿入する。そして、ワッシャ３０の下面を、便座装置９の底壁９ａの上面に当接させて、ワッシャ３０を便座装置９の底壁９ａと相対回転不能とする。
【００６２】
ここで、雄ねじ１０としてねじ部１３が充分に長いものをあらかじめ用意しておき、固定用ブッシュ５０ａの数をその場で適当に選択することにより、最も下方に位置する固定用ブッシュ５０ａの拡径部５１が便座取付穴７の反対側から適度に飛び出した状態とすることを容易に実施できる。
【００６３】
そして、雄ねじ１０の頭部１１を回転させると、ねじ部１３に螺合する雌ねじ２０ａは、ワッシャ３０、複数の固定用ブッシュ５０ａ及び雌ねじ保持部材２５ａが互いに回転不能とされていることにより回転が規制され、ねじ部１３に対して相対回転して、ねじ部１３の頭部１１側に移動する。その結果、図１５に示すように、各固定用ブッシュ５０ａの軸長が短縮され、提灯形状の拡径部５１が圧縮変形により拡大する。この際、便座取付穴７の中に位置する固定用ブッシュ５０ａは、便座取付穴７に密着した状態となると、それ以上の拡径が不能となり、最も下方に位置する固定用ブッシュ５０ａの上方への移動を規制する。また、最も下方に位置する固定用ブッシュ５０ａは、大きく拡径して便座取付穴７の反対側に係合する。こうして、この締結装置２も、便座装置９を洋風便器本体８の便座取付穴７に上方から固定することが可能となっている。
【００６４】
また、締結装置２は、洋風便器本体８の便座取付穴７が浅い場合に、図１６に示すように、固定用ブッシュ５０ａを１つとすることにより、固定用ブッシュ５０ａの拡径部５１が便座取付穴７の反対側から適度に飛び出した状態とすることを容易に実施できる。こうして、この締結装置２は、便座取付穴７が浅い場合でも、確実な固定力を発揮することができる。
【００６５】
したがって、実施例２の締結装置２も、実施例１の締結装置１と同様の作用効果を奏することができている。
【００６６】
また、この締結装置２において、雌ねじ２０ａと固定用ブッシュ５０ａとは別体である。このため、この締結装置２は、雌ねじ２０ａが分離された固定用ブッシュ５０ａを長さ調整用ブッシュとしても使用することができており、製造コストの一層の低廉化が可能となっている。
【００６７】
さらに、この締結装置２において、図１２に示すように、便座取付穴７の中に位置する固定用ブッシュ５０ａは、途中に軸長の短縮により拡大する拡径部が形成されている長さ調整用ブッシュに相当している。このため、締結時に長さ調整用ブッシュを兼ねる固定用ブッシュ５０ａも便座取付穴７内で拡径するので、この締結装置２は、より確実な固定力を発揮することができている。
【実施例３】
【００６８】
図１７に示すように、実施例３の締結装置３は、長さ調整用ブッシュと固定用ブッシュ５０ａとが一体であり、分離可能に構成された固定用ブッシュ５０ｂを採用する点が実施例１の締結装置１とは異なる。その他の構成については、実施例１の締結装置１と同様であるので、説明は省く。
【００６９】
固定用ブッシュ５０ｂは、図１８（ａ）に示すように、下方に長く突出する四角柱状との固定用ブッシュ側凹部５３ｂが凹設されたものであり、固定用ブッシュ側凹部５３ｂの横断面は、実施例１の固定用ブッシュ５０の固定用ブッシュ側凹部５３の横断面と同一とされている。このため、図１８（ｂ）に示すように、固定用ブッシュ側凹部５３ｂを任意の位置で切断して短くすることが可能であり、短くした後の固定用ブッシュ側凹部５３ｂもワッシャ３０のワッシャ側凸部３２と互いに嵌まり合うことが可能となっている。なお、固定用ブッシュ側凹部５３ｂは、捩れない程度に剛性の高い材料からなることが好ましく、例えば、拡径部５１を軟質ゴム製とし、固定用ブッシュ側凹部５３ｂを硬質ゴム又は樹脂製として、複合成形等により一体化することが好ましい。その他の構成については、実施例１の固定用ブッシュ５０と同様であるので、説明は省く。
【００７０】
このような構成である実施例３の締結装置３も、図１７に示すように、洋風便器本体８と便座装置９とを備える洋風水洗式便器に用いられて、便座装置９を洋風便器本体８の便座取付穴７に固定する。
【００７１】
具体的には、洋風便器本体８に載置された便座装置９の底壁９ａの上方から、雄ねじ１０の円筒部１２及びねじ部１３と、雌ねじ２０と、固定用ブッシュ５０ａとを洋風便器本体８の便座取付穴７に挿入する。そして、ワッシャ３０の下面を、便座装置９の底壁９ａの上面に当接させて、ワッシャ３０を便座装置９の底壁９ａと相対回転不能とする。
【００７２】
ここで、雄ねじ１０としてねじ部１３が充分に長いものにあらかじめ用意しておき、固定用ブッシュ側凹部５３ｂの長さをその場で適当に短く切断することにより、固定用ブッシュ５０ｂの拡径部５１が便座取付穴７の反対側から適度に飛び出した状態とすることを容易に実施できる。
【００７３】
そして、雄ねじ１０の頭部１１を回転させることにより、拡径部５１が拡径して便座取付穴７の反対側に係合する。こうして、この締結装置３も、便座装置９を洋風便器本体８の便座取付穴７に上方から固定することが可能となっている。
【００７４】
したがって、実施例３の締結装置３も、実施例１、２の締結装置１、２と同様の作用効果を奏することができている。
【００７５】
また、この締結装置３は、長さ調整用ブッシュと固定用ブッシュとが一体であり、分離可能に構成された固定用ブッシュ５０ａを採用していることから、異なる深さの取付穴に対して、より細かく、かつ容易に長さ調整をすることが可能となっている。
【００７６】
以上において、本発明を実施例１〜３に即して説明したが、本発明は上記実施例１〜３に制限されるものではなく、その趣旨を逸脱しない範囲で適宜変更して適用できることはいうまでもない。
【００７７】
例えば、実施例１〜３の締結装置１〜３は、便座装置９を直接、洋風便器本体８の便座取付穴７に固定しているが、便座装置９と洋風便器本体８との間にプレートを介在させてもよい。この場合、実施例１〜３の締結装置１〜３は、プレートを直接、洋風便器本体８の便座取付穴７に固定し、便座装置９は別途、プレートに固定される。具体的には、図８〜１２、１５〜１７に図示する便座装置９の底壁９ａがプレートに置き換わり、このプレートの上に、さらに、便座装置９が固定されることとなる。
【産業上の利用可能性】
【００７８】
本発明は締結装置及び洋風水洗式便器に利用可能である。
【図面の簡単な説明】
【００７９】
【図１】実施例１の締結装置の断面図である。
【図２】実施例１の締結装置に係り、ワッシャの断面図である。
【図３】実施例１の締結装置に係り、ワッシャを図２のＡ方向から見た図である。
【図４】実施例１の締結装置に係り、長さ調整用ブッシュの断面図である。
【図５】実施例１の締結装置に係り、長さ調整用ブッシュを図４のＢ方向から見た図図である。
【図６】実施例１の締結装置に係り、長さ調整用ブッシュを図４のＣ方向から見た図図である。
【図７】実施例１の締結装置に係り、固定用ブッシュの断面図である。
【図８】実施例１の締結装置に係り、便座装置を洋風便器本体の便座取付穴に固定する前の状態を示す断面図である。
【図９】実施例１の締結装置に係り、便座装置を洋風便器本体の便座取付穴に固定した後の状態を示す断面図である。
【図１０】実施例１の締結装置に係り、便座装置を洋風便器本体の便座取付穴に固定する前の状態を示す断面図である。
【図１１】実施例１の締結装置に係り、便座装置を洋風便器本体の便座取付穴に固定した後の状態を示す断面図である。
【図１２】実施例２の締結装置に係り、便座装置を洋風便器本体の便座取付穴に固定する前の状態を示す断面図である。
【図１３】実施例２の締結装置に係り、固定用ブッシュの断面図である。
【図１４】実施例２の締結装置に係り、雌ねじおよび雌ねじ保持部材の断面図である。
【図１５】実施例２の締結装置に係り、便座装置を洋風便器本体の便座取付穴に固定した後の状態を示す断面図である。
【図１６】実施例２の締結装置に係り、便座装置を洋風便器本体の便座取付穴に固定する前の状態を示す断面図である。
【図１７】実施例３の締結装置に係り、便座装置を洋風便器本体の便座取付穴に固定する前の状態を示す断面図である。
【図１８】実施例３の締結装置に係り、（ａ）は固定用ブッシュの長さ調整前の断面図であり、（ｂ）は固定用ブッシュの長さ調整後の断面図である。
【符号の説明】
【００８０】
１、２、３…締結装置
７…便座取付穴
８…洋風便器本体
９…便座装置
１０…雄ねじ
１１…頭部
１２…円筒部
１３…ねじ部
２０、２０ａ…雌ねじ
２３ａ…雌ねじ側凹部
３０…回転不能部（ワッシャ）
３２…ワッシャ側凸部
３４…回転防止手段（畝状突起部）
４０…長さ調整用ブッシュ
４２…長さ調整用ブッシュ側凸部
４３…長さ調整用ブッシュ側凹部
５１…拡径部
５０、５０ａ、５０ｂ…固定用ブッシュ
５２ａ…固定用ブッシュ側凸部
５３、５３ｂ…固定用ブッシュ側凹部
【図１】
2007232156.tif 000003
【図２】
2007232156.tif 000004
【図３】
2007232156.tif 000005
【図４】
2007232156.tif 000006
【図５】
2007232156.tif 000007
【図６】
2007232156.tif 000008
【図７】
2007232156.tif 000009
【図８】
2007232156.tif 000010
【図９】
2007232156.tif 000011
【図１０】
2007232156.tif 000012
【図１１】
2007232156.tif 000013
【図１２】
2007232156.tif 000014
【図１３】
2007232156.tif 000015
【図１４】
2007232156.tif 000016
【図１５】
2007232156.tif 000017
【図１６】
2007232156.tif 000018
【図１７】
2007232156.tif 000019
【図１８】
2007232156.tif 000020